【手続補正書】
【提出日】平成19年2月26日(2007.2.26)
【手続補正１】
【補正対象書類名】明細書
【補正対象項目名】特許請求の範囲
【補正方法】変更
【補正の内容】
【特許請求の範囲】
【請求項１】  合成樹脂からなり、中心部に軸方向に沿う両端が開放された軸孔を有するとともに、この軸孔の内周面が一端から他端に向けて直径が順次小さくなるテーパをなしている歯車と、
合成樹脂からなり、外周面が前記歯車の軸孔の内周面と同じ角度のテーパをなすとともに、前記歯車の軸孔に嵌合して前記歯車を回転自在に支持する軸と、を具備することを特徴とする歯車と軸との構造体。
【請求項２】  前記軸は、テーパ大径側端にこの軸方向と交差する方向に沿うプレートを有することを特徴とする請求項１に記載の歯車と軸との構造体。
【請求項３】  前記軸は、テーパ小径側端にこの軸方向と交差する方向に沿うプレートを有することを特徴とする請求項１に記載の歯車と軸との構造体。
【手続補正２】
【補正対象書類名】明細書
【補正対象項目名】０００６
【補正方法】変更
【補正の内容】
【０００６】
このような歯車１と軸４との構造体において、射出成形により製造した歯車（成形品）１を成形型から取出す時に軸孔３を成形型における棒状をなす軸孔成形部から容易に抜出すようにするために、軸孔３の内周面にその一端から他端に向けて直径が次第に小さくなっていくテーパ（抜き勾配）を形成している。ただし、この歯車１の軸孔３のテーパ（抜き勾配）は、軸４とのはめ合いを考慮して歯車１の型抜きに支障がない範囲でできるだけ小さい傾斜角度に設定している。
【手続補正３】
【補正対象書類名】明細書
【補正対象項目名】００１０
【補正方法】変更
【補正の内容】
【００１０】
【課題を解決するための手段】
請求項１の発明に係る歯車と軸との構造体は、
合成樹脂からなり、中心部に軸方向に沿う両端が開放された軸孔を有するとともに、この軸孔の内周面が一端から他端に向けて直径が順次小さくなるテーパをなしている歯車と、
合成樹脂からなり、外周面が前記歯車の軸孔の内周面と同じ角度のテーパをなすとともに、前記歯車の軸孔に嵌合して前記歯車を回転自在に支持する軸と、を具備することを特徴とする。
この発明の構成によれば、合成樹脂からなる軸に充分な強度を与えて歯車を安定して支持し、歯車を安定して回転させることができる。
【手続補正４】
【補正対象書類名】明細書
【補正対象項目名】００１１
【補正方法】変更
【補正の内容】
【００１１】
請求項２に係る発明は、請求項１に記載の歯車と軸との構造体において、前記軸は、テーパ大径側端にこの軸方向と交差する方向に沿うプレートを有することを特徴とする。
【手続補正５】
【補正対象書類名】明細書
【補正対象項目名】００１３
【補正方法】変更
【補正の内容】
【００１３】
請求項３に係る発明は、請求項１に記載の歯車と軸との構造体において、前記軸は、テーパ小径側端にこの軸方向と交差する方向に沿うプレートを有することを特徴とする。
【手続補正６】
【補正対象書類名】明細書
【補正対象項目名】００１４
【補正方法】変更
【補正の内容】
【００１４】
この発明の構成によれば、軸のテーパを利用して軸自身で歯車を軸から抜け出ないように保持することができる。
【手続補正７】
【補正対象書類名】明細書
【補正対象項目名】００１６
【補正方法】変更
【補正の内容】
【００１６】
図において１１は射出成形により製造された合成樹脂からなる歯車で、この歯車１１は大径部１１ａと、この大径部１１ａより小径で且つ長さが大である小径部１１ｂとが軸方向に並んで一体に形成され、この大径部１１ａの外周部には所定数の歯１２が形成されて平歯車を構成しており、小径部１１ｂには所定数の歯１３が形成されている。
歯車１１の中心部には、断面が円形をなす軸孔１４が軸線方向に沿って形成され、この軸孔１４は歯車１１の両方の端面（大径部１１ａの端面と小径部１１ｂの端面）で開放されている。なお、肉厚を平均化するために大径部１１ａおよび小径部１１ｂは内部が空洞化されている。
軸孔１４の内周面は、射出成形により製造した歯車１１を成形型から取出す時に軸孔３を成形型における棒状をなす軸孔成形部から容易に抜出せるようにするために、軸孔１４の内周面に軸線方向に沿いその一方の端から他方の端に向けて直径が次第に小さくなっていくテーパ（抜き勾配）を形成している。
ここでは、軸孔１４は、例えば小径部１１ｂの端面に位置する開口１４ｂの直径に比較して大径部１１ａの端面に位置する開口１４ａの直径が大きく、開口１４ｂから開口１４ａに向うに従い直径（内径）が順次大きくなっていくように内周面が軸線方向に沿い傾斜してテーパをなしている。つまり、軸孔１４は小径の開口１４ｂを先頭にして成形型の軸孔成形部から抜き出す。
【手続補正８】
【補正対象書類名】明細書
【補正対象項目名】００２０
【補正方法】変更
【補正の内容】
【００２０】
この軸２１の外周面は、射出成形により製造した軸２１を成形型から取出す時に、軸２１を成形型における孔状をなす軸成形部から容易に抜出せるようにするために、軸２１の外周面に軸線方向にその一方の端から他方の端に向けて直径が次第に小さくなっていくテーパ面を形成している。ここでは、軸２１の外周面は閉塞された他端２１ｂの直径（外径）に比較して開放された一端２１ａの直径（外径）が大きく、他端２１ｂから一端２１ａに向うに従い直径が順次大きくなっていくように傾斜したテーパ（抜き勾配）をなしている。
【手続補正９】
【補正対象書類名】明細書
【補正対象項目名】００２１
【補正方法】変更
【補正の内容】
【００２１】
この軸２１の直径およびテーパの仕様は、歯車１１の軸孔１４における直径およびテーパの仕様と同じものとなっている。すなわち、軸２１の他端２１ｂの外周面における直径は、軸孔１４の開口１４ｂの内周面における直径に相当し、一端２１ａの外周面における直径は、軸孔１４の開口１４ａの内周面における直径に相当し、軸線に対する外周面の傾斜角度は、軸孔１４の内周面の傾斜角度に相当する。すなわち、軸２１は、歯車１１の軸孔１４におけるテーパの大きさに合せて充分に大きいテーパをなしている。
【手続補正１０】
【補正対象書類名】明細書
【補正対象項目名】００２６
【補正方法】変更
【補正の内容】
【００２６】
この歯車１１と軸２１との構造体は、歯車１１の軸孔１４に通常より大きい抜き勾配としてのテーパを形成し、この軸孔１４に挿通する軸２１に軸孔１４のテーパに合せた大きいテーパを形成している。このため、合成樹脂からなる軸２１は、従来の軸に比較して全長にわたり断面積が増大して強度が大幅に増大している。このため、軸２１は強固且つ安定して歯車１１を支持し、歯車１１を用いて回転伝達を行なう時に歯車１１にかかる負荷を充分に負担して歯車１１の回転とともに振れる現象が発生することがない。このため、軸２１が振れて歯車１１と他の歯車との噛合が不安定となって騒音を生じたり、回転伝達に支障を来すという事態の発生を防止できる。
【手続補正１１】
【補正対象書類名】明細書
【補正対象項目名】００３１
【補正方法】変更
【補正の内容】
【００３１】
この実施の形態では、軸２１はプレートを一体に形成せず、軸単体として製造している。また、例えば軸２１は小径の他端２１ｂの部分を支持部２１ｃとして延長して形成する。そして、軸２１を歯車１１の軸孔１４に挿通すると、軸２１の支持部２１ｃが歯車１１の小径部１１ｂの端面に位置する軸孔１４の開口から突出する。この突出した支持部２１ｃを合成樹脂からなるプレート３１に形成した孔部３２に挿通して支持する。軸２１をプレート３１に固定するためには、ねじ止め（ねじ部材を用いる。軸自身にねじ部を形成する）などの手段を用いる。なお、プレート３１は装置本体の壁部を兼用するもの、あるいは装置本体の壁部とは別体で装置本体の壁部に取付けるもののいずれでも良い。
【手続補正１２】
【補正対象書類名】明細書
【補正対象項目名】００３５
【補正方法】変更
【補正の内容】
【００３５】
請求項２の発明によれば、プレートを用いて軸の強度を一層高めることができるとともに、軸を他の構造物に安定して取付けることができる。
【手続補正１３】
【補正対象書類名】明細書
【補正対象項目名】００３６
【補正方法】変更
【補正の内容】
【００３６】
請求項３の発明によれば、軸のテーパを利用して軸自身で歯車を軸から抜け出ないように保持することができる。